【手続補正書】
【提出日】平成27年8月17日(2015.8.17)
【手続補正１】
【補正対象書類名】特許請求の範囲
【補正対象項目名】全文
【補正方法】変更
【補正の内容】
【特許請求の範囲】
【請求項１】
画像の色成分ごとに空間フィルタを適用して画像回復処理を行うフィルタ手段と、
前記空間フィルタが参照する画素の領域である参照領域に、飽和画素が含まれるか否かを判定する判定手段と、
前記判定手段の判定結果に応じて、前記画像回復処理の後の前記色成分を調整する調整手段と、
を有することを特徴とする画像処理装置。
【請求項２】
前記画像回復処理を適用する画素位置にない他の色成分については、前記画素位置の周辺の前記他の色成分を補間して算出することにより、前記色成分の色差を得ることを特徴とする請求項１記載の画像処理装置。
【請求項３】
前記調整手段が、前記判定手段により前記参照領域に飽和画素が含まれると判定された場合に、前記画像回復処理の前の前記色成分を用いて、前記画像回復処理の後の前記色成分を調整することを特徴とする請求項１または請求項２に記載の画像処理装置。
【請求項４】
前記調整手段が、前記判定手段により前記参照領域に飽和画素が含まれると判定された場合に、前記色成分の色差が前記画像回復処理の前後で維持されるように調整された値を用いて、前記画像回復処理の後の前記色成分を調整することを特徴とする請求項１または請求項２に記載の画像処理装置。
【請求項５】
前記色成分がＲ成分、Ｇ成分、Ｂ成分を有し、前記調整手段は、前記Ｇ成分との色差が前記画像回復処理の前後で維持されるように、前記Ｒ成分と前記Ｂ成分を調整することを特徴とする請求項１から請求項４のいずれか１項に記載の画像処理装置。
【請求項６】
前記調整手段が、前記判定手段により前記参照領域に飽和画素が含まれると判定された場合に、前記画像回復処理の後の前記色成分の値を、前記調整された値に置き換えることによって前記調整を行うことを特徴とする請求項４に記載の画像処理装置。
【請求項７】
前記調整手段が、前記判定手段により前記参照領域に飽和画素が含まれると判定された場合に、前記画像回復処理の後の前記色成分の値と前記調整された値とを加重加算することにより前記調整を行うことを特徴とする請求項４に記載の画像処理装置。
【請求項８】
前記調整手段が、前記参照領域における前記飽和画素の割合が大きいほど前記画像回復処理の後の前記色成分の値に大きな重みを与えて前記加重加算することを特徴とする請求項７に記載の画像処理装置。
【請求項９】
前記調整手段が、前記画像回復処理を適用する画素位置の色成分値が飽和している場合には、前記調整を行わないことを特徴とする請求項１から請求項８のいずれか１項に記載の画像処理装置。
【請求項１０】
前記判定手段は、予め定められたしきい値以上の画素を前記飽和画素と判定することを特徴とする請求項１から請求項９のいずれか１項に記載の画像処理装置。
【請求項１１】
画像の色成分ごとに空間フィルタを適用して画像回復処理を行うフィルタ手段と、
前記空間フィルタが参照する画素の領域である参照領域に、予め定められたしきい値以上の画素が含まれるか否かを判定する判定手段と、
前記判定手段の判定結果に応じて、前記画像回復処理の後の前記色成分を調整する調整手段と、
を有することを特徴とする画像処理装置。
【請求項１２】
画像の色成分ごとに空間フィルタを適用して画像回復処理を行うフィルタ工程と、
前記空間フィルタが参照する画素の領域である参照領域に、飽和画素が含まれるか否かを判定する判定工程と、
前記判定工程における判定結果に応じて、前記画像回復処理の後の前記色成分を調整する調整工程と、
を有することを特徴とする画像処理装置の制御方法。
【請求項１３】
画像の色成分ごとに空間フィルタを適用して画像回復処理を行うフィルタ工程と、
前記空間フィルタが参照する画素の領域である参照領域に、予め定められたしきい値以上の画素が含まれるか否かを判定する判定工程と、
前記判定工程における判定結果に応じて、前記画像回復処理の後の前記色成分を調整する調整工程と、
を有することを特徴とする画像処理装置の制御方法。
【請求項１４】
コンピュータを、請求項１から請求項１１のいずれか１項に記載の画像処理装置の各手段として機能させるためのプログラム。
【手続補正２】
【補正対象書類名】明細書
【補正対象項目名】０００９
【補正方法】変更
【補正の内容】
【０００９】
上述の目的は、画像の色成分ごとに空間フィルタを適用して画像回復処理を行うフィルタ手段と、空間フィルタが参照する画素の領域である参照領域に、飽和画素が含まれるか否かを判定する判定手段と、判定手段の判定結果に応じて、画像回復処理の後の色成分を調整する調整手段と、を有することを特徴とする画像処理装置によって達成される。
【手続補正３】
【補正対象書類名】明細書
【補正対象項目名】００１６
【補正方法】変更
【補正の内容】
【００１６】
ここで、画像回復処理による色つき現象について説明する。図９（ａ）は無彩色エッジを含んだ画像の例であり、図９（ｂ）は図９（ａ）の画像のエッジ部分のある画素ラインについて、画像値を色成分別にＸ方向にプロットした図である。図９（ｂ）の横軸はＸ方向の画素位置を、縦軸は色成分値を示し、Ｔｈは処理対象の画像データを生成した撮像素子における色成分値の飽和レベルを示す値である。
【手続補正４】
【補正対象書類名】明細書
【補正対象項目名】００２７
【補正方法】変更
【補正の内容】
【００２７】
第１〜第４フィルタ処理部１０２〜１０５は、図７を用いて説明したように、色成分ごとに画像回復処理を行い、画像回復処理後の色成分値Ｒ’，Ｇ１’，Ｇ２’，Ｂ’をそれぞれ出力する。
Ｒ成分出力調整部１１３は、飽和判定部１０６の判定結果に応じて、第３フィルタ処理部１０４の出力値Ｒ’と、後述する色つき補正用の値（色差調整値Ｒ”）との一方を回復データ出力部１１５に出力する。同様に、Ｂ成分出力調整部１１４は、飽和判定部１０６の判定結果に応じて、第４フィルタ処理部１０５の出力値Ｂ’と、後述する色つき補正用の値（色差調整値Ｂ”）との一方を回復データ出力部１１５に出力する。
【手続補正５】
【補正対象書類名】明細書
【補正対象項目名】００３４
【補正方法】変更
【補正の内容】
【００３４】
式（１），（２）から
Ｒ”  −  Ｇｒ’  ＝  Ｒ  −  Ｇｒ    （３）
Ｂ”  −  Ｇｂ’  ＝  Ｂ  −  Ｇｂ    （４）
となり、色差調整値Ｒ”、Ｂ”を画像回復処理後のＲ，Ｂ値として用いた場合、画像回復処理前の画素値における色差Ｒ−Ｇ、色差Ｂ−Ｇと等しい色差が、画像回復処理後の画素値でも保たれることがわかる。
【手続補正６】
【補正対象書類名】明細書
【補正対象項目名】００４９
【補正方法】変更
【補正の内容】
【００４９】
画素位置Ｘ３，Ｘ４のＲ成分値がＲ’を反映した加重加算値となった画像回復処理後の信号値Ｒ’＿ｒｅｃを図６（ｄ）に示す。図のように、画素位置Ｘ４からＸ５における画像回復処理後のＲ信号の段差が低減される。また画素位置Ｘ２、Ｘ３についても、通常の画像回復処理結果（図６（ｂ））よりも画像回復処理前の色成分のバランスに近く、また第１の実施形態の方法を採用した結果（図６（ｃ））よりも大きな回復効果が得られている。
【手続補正７】
【補正対象書類名】図面
【補正対象項目名】図２
【補正方法】変更
【補正の内容】
【図２】
2015043541.tif 000001
【手続補正８】
【補正対象書類名】図面
【補正対象項目名】図３
【補正方法】変更
【補正の内容】
【図３】
2015043541.tif 000002
【手続補正９】
【補正対象書類名】図面
【補正対象項目名】図７
【補正方法】変更
【補正の内容】
【図７】
2015043541.tif 000003